(57)【要約】【課題】安価な構成でレーザ光の誤投射を確実に防ぐことができるレーザポインタを用いたプレゼンテーションシステムを提供する。【解決手段】液晶プロジェクタ２０に、右側発光部４０ａ、左側発光部４０ｂを設置し、レーザポインタ３０に、右側発光部４０ａからの発光信号Ａを正規のレーザ光投射許可信号として受信する左側センサ３０ａと、左側発光部４０ｂからの発光信号Ｂを正規のレーザ光投射許可信号として受信する右側センサ３０ｂと、発光信号Ａ，Ｂをともに正規のレーザ光投射許可信号として受信できる前面センサ３０ｃを設ける。１つの受信センサが正規のレーザ光投射許可信号を受信し、かつ、他の受信センサが正規のレーザ光投射許可信号を受信していない場合に限り、レーザ光を投射させる。【選択図】　　　　図５
2004021151.tif 000002
【特許請求の範囲】
【請求項１】
投影手段から画像が投影されるスクリーン手段に、投影手段とスクリーン手段との間に位置するプレゼンターがレーザポインタのレーザ光を投射しながらプレゼンテーションを行うレーザポインタを用いたプレゼンテーションシステムにおいて、
前記投影手段またはその近傍に、種類の異なるレーザ光投射許可信号をプレゼンターの位置に応じた異なる発信方向に向けてそれぞれ発信する複数の発信部を設置し、
一方、前記レーザポインタに、前記複数の発信部から発信される各レーザ光投射許可信号を、それぞれ正規の信号として受信する複数の受信部と、これら受信部の受信状態に応じてレーザ光の投射を制御する制御部とを設け、
該制御部は、前記レーザポインタの１つの前記受信部が正規のレーザ光投射許可信号を受信し、かつ、他の受信部が同じ正規のレーザ光投射許可信号を受信していない場合に限り、レーザ光を投射させることを特徴とするレーザポインタを用いたプレゼンテーションシステム。
【請求項２】
前記発信部は、前記スクリーン手段に向かって右側に位置するプレゼンターにレーザ光投射許可信号を発信する右側発信部と、前記スクリーン手段に向かって左側に位置するプレゼンターにレーザ光投射許可信号を発信する左側発信部とを備え、
前記レーザポインタの前記受信部は、レーザポインタを前記スクリーン手段に向けた状態における左右の側面にそれぞれ配置された左側受信部および右側受信部とを備え、
左側受信部は前記右側発信部から発信されるレーザ光投射許可信号を正規のレーザ光投射許可信号として受信し、
右側受信部は前記左側発信部から発信されるレーザ光投射許可信号を正規のレーザ光投射許可信号として受信することを特徴とする請求項１に記載のレーザポインタを用いたプレゼンテーションシステム。
【請求項３】
前記レーザポインタのレーザ光投射方向と同一方向を指向した面に、前記右側発信部および前記左側発信部から発信される各レーザ光投射許可信号のいずれも受信できる前面受信部が設けられていることを特徴とする請求項２に記載のレーザポインタを用いたプレゼンテーションシステム。
【請求項４】
前記レーザ光投射許可信号は赤外光であることを特徴とする請求項１〜３のいずれかに記載のレーザポインタを用いたプレゼンテーションシステム。
【発明の詳細な説明】
【０００１】
【発明の属する技術分野】
本発明は、スクリーン等のスクリーン手段に映した画像をレーザポインタで指示しながら講演、説明等を行うためのプレゼンテーションシステムに関する。
【０００２】
【従来の技術】
液晶プロジェクタ等の投影装置によってスクリーンに画像を投影し、その画像を参照しながらプレゼンターが聴衆に向かって種々の発表や説明等を行うプレゼンテーションにあっては、画像の特定箇所を指示するためのレーザポインタがよく使用されている。ところで、レーザポインタのレーザ光は人の目に入射すると危険であることから、聴衆席への不用意なレーザ光の投射を防ぐ安全対策が、種々提案されている。例えば、特許第２５９１６６７号は、レーザ光の照射方向（例えばスクリーンの上部）に設置した赤外光の発光装置から赤外光を受けた場合に限り、レーザ光を投射可能とするものである。また、特開２００１−３２１５３１号公報には、レーザポインタからレーザ光と同方向に赤外光を投射する一方、この赤外光がスクリーンに投射されているか否かをＣＣＤ等の撮像手段で撮像し、赤外光が撮像されている場合に限り、レーザ光の投射を許可する信号をレーザポインタに発するといった技術が記載されている。
【０００３】
【発明が解決しようとする課題】
しかしながら、上記従来技術の前者では、レーザポインタを客席に向けた場合、赤外光発光装置から発光されている赤外光がプロジェクタや聴衆に反射するなどしてレーザポインタが赤外光を受光してしまい、レーザ光が客席に投射されるといった誤動作のおそれがある。また、プレゼンターがプロジェクタより後方、すなわち客席側に位置していてもレーザ光が投射されるので、場合によってはプレゼンターよりスクリーン側にいる聴衆にレーザ光が投射されてしまう。また、レーザ光の投射方向に赤外光発光装置を設置するので、その設置箇所に制限を受けやすく、したがって設置が困難であったり、赤外光の発光方向の調整もしにくい。
【０００４】
一方、後者の技術では、レーザポインタを客席に向けた場合、撮像手段の一部にレーザポインタが発する赤外光が直接当たり、その赤外光がスクリーンからの反射であると誤認識するおそれがある。また、装置の規模が大きくなりがちであり、しかも、スクリーンに対する撮像手段の位置合わせ等、使用前の調整に手間がかかり、実用的ではないといった問題もある。また、前者と同様に、プレゼンターがプロジェクタより後方に位置していてもレーザ光が投射されるので、場合によってはプレゼンターよりスクリーン側にいる聴衆にレーザ光が投射されてしまう。
【０００５】
よって本発明は、安価かつ簡素な構成でレーザ光の誤投射を確実に防ぐことができ、安全性の確立が図られるレーザポインタを用いたプレゼンテーションシステムを提供することを目的としている。
【０００６】
【課題を解決するための手段】
本発明は、投影手段から画像が投影されるスクリーン手段に、投影手段とスクリーン手段との間に位置するプレゼンターがレーザポインタのレーザ光を投射しながらプレゼンテーションを行うレーザポインタを用いたプレゼンテーションシステムにおいて、投影手段またはその近傍に、種類の異なるレーザ光投射許可信号をプレゼンターの位置に応じた異なる発信方向に向けてそれぞれ発信する複数の発信部を設置し、一方、レーザポインタに、複数の発信部から発信される各レーザ光投射許可信号を、それぞれ正規の信号として受信する複数の受信部と、これら受信部の受信状態に応じてレーザ光の投射を制御する制御部とを設け、該制御部は、レーザポインタの１つの受信部が正規のレーザ光投射許可信号を受信し、かつ、他の受信部が同じ正規のレーザ光投射許可信号を受信していない場合に限り、レーザ光を投射させることを特徴としている。
【０００７】
本発明によれば、異なる種類で、かつ異なる方向から発信される複数のレーザ光投射許可信号ごとに、これらレーザ光投射許可信号をそれぞれ正規のレーザ光投射許可信号として受信する複数の受信部をレーザポインタに設けている。そして、レーザポインタの１つの受信部が正規のレーザ光投射許可信号を受信し、かつ、他の受信部が同じ正規のレーザ光投射許可信号を受信していない場合に限り、レーザ光が投射される。レーザ光の投射が許可されるこの条件は、プレゼンターがレーザポインタをスクリーン手段に正しく向けている場合に限り満足されるものとする。
【０００８】
例えば、レーザポインタを投影手段の後方（スクリーン手段の反対側、概ね客席方向である）に向けた状態で１つの受信部が正規のレーザ光投射許可信号を受信しているとすると、それは反射等によるものである。そして、他の受信部も同じ正規のレーザ光投射許可信号を受信しているためレーザ光は投射されず、したがって、客席へのレーザ光の誤投射を確実に防止することができる。また、投影手段とスクリーン手段との間に位置するプレゼンターに対してレーザ光投射許可信号を発信するので、プレゼンターが投影手段より後方に位置すると、レーザ光は投射されず、これによっても客席へのレーザ光の誤投射が防がれる。
【０００９】
本発明は、投影手段またはその近傍にレーザ光投射許可信号の発信部を複数設置する一方、レーザポインタに、各レーザ光投射許可信号ごとの受信部を設けるとともにこれら受信部の受信状態に応じてレーザ光の投射を制御する制御部を設けるといった簡素かつ小規模な構成である。したがって、レーザ光の誤投射を確実に防止することを、安価な構成で実現できる。また、本システムのセッティングは、発信部の向き、すなわちレーザポインタ投射許可信号の発信方向を、レーザポインタを持つプレゼンターに向け、レーザポインタからのレーザ光がスクリーン手段に万遍なく投射されれば完了であり、きわめて容易であることから実用性に優れている。
【００１０】
さて、本発明の具体例としては、次の構成が挙げられる。すなわち、上記発信部は、スクリーン手段に向かって右側に位置するプレゼンターにレーザ光投射許可信号を発信する右側発信部と、スクリーン手段に向かって左側に位置するプレゼンターにレーザ光投射許可信号を発信する左側発信部である。一方、レーザポインタの前記受信部は、レーザポインタをスクリーン手段に向けた状態における左右の側面にそれぞれ配置された左側受信部および右側受信部である。そして、左側受信部は右側発信部から発信されるレーザ光投射許可信号を正規のレーザ光投射許可信号として受信し、右側受信部は左側発信部から発信されるレーザ光投射許可信号を正規のレーザ光投射許可信号として受信する。
【００１１】
この構成によると、例えばプレゼンターがスクリーン手段に向かって右側に位置している状態でレーザポインタをスクリーン手段に正しく向けると、左側受信部が右側発信部から発信される正規のレーザ光投射許可信号を受信し、レーザ光が投射される。一方、レーザポインタを投影手段の後方に向けると、右側受信部が右側発信部から発信されるレーザ光投射許可信号を受けるが、これは正規のレーザ光投射許可信号ではないので、レーザ光は投射されない。この状態で、右側発信部から発信したレーザ光投射許可信号が、壁やプレゼンターの衣服等に反射して左側受信部に受信されてしまう場合がある。つまり、左側受信部が正規のレーザ光投射許可信号を受信するわけであるが、右側受信部が左側受信部と同じレーザ光投射許可信号を受信しているため、レーザ光の非投射状態は継続されて誤投射は起きない。
【００１２】
このような構成において、レーザポインタのレーザ光投射方向と同一方向を指向した面に、右側発信部および左側発信部から発信される各レーザ光投射許可信号のいずれも受信できる前面受信部を設けると、より確実にレーザ光の誤投射を防止することができる。この場合、レーザポインタを後方に向けると、受信部は右側発信部または左側発信部から発信されるレーザ光投射許可信号を受けることがあるが、本来、スクリーン手段の方にレーザポインタが向いているのならば、受信されない信号である。もし、前面受信部に右側発信部または左側発信部の信号が受信された場合、レーザ光は投射されない。この形態では、レーザポインタの左側受信部および右側受信部が一定の指向角特性を有しており、これに起因して左右の受信部の間に受信不能なデッドゾーンが生じても、前面受信部の作用によってレーザ光の投射が防止される。
【００１３】
なお、本発明に係るレーザ光投射許可信号としては、可視光や不可視光等が挙げられ、とりわけ不可視光である赤外光が好適に使用される。また、レーザ光投射許可信号はＤＣ（直流）光でもかまわないが、その場合には、外乱による誤動作を防ぐために変調がかけられていることが好ましい。
【００１４】
【発明の実施の形態】
以下、図面を参照して本発明の実施形態を説明する。
図１は、本発明の第１実施形態の全体システムを概略的に示している。図１の符号１０はスクリーン（スクリーン手段）、２０はスクリーン１０に液晶画像を投影する液晶プロジェクタ（投影手段）である。この場合、図示せぬプレゼンターは、スクリーン１０と液晶プロジェクタ２０との間における液晶プロジェクタ２０の左側または右側のいずれかの位置に立つ。そして、手に持ったレーザポインタ３０をスクリーン１０に向けてレーザ光を投射し、スクリーン１０に映るレーザ光のスポットによって画像を指示しながらプレゼンテーションを行う。液晶プロジェクタ２０の後方（スクリーン１０とは反対方向）には、図示せぬ客席が設けられている。
【００１５】
図１に示すように、液晶プロジェクタ２０上には、赤外光をプレゼンターの方向に向けて発光する右側発光部（右側発信部）４０ａおよび左側発光部（左側発信部）４０ｂが設置されている。右側発光部４０ａからは右側に立つプレゼンターに向けて赤外光Ａが発光され、左側発光部４０ｂからは左側に立つプレゼンターに向けて赤外光Ｂが発光される。これら発光部４０ａ，４０ｂは、左右上下方向に回転可能に設けられており、プレゼンターの位置に応じて赤外光Ａ，Ｂの発光方向を調整できるようになっている。各発光部４０ａ，４０ｂから発光する赤外光Ａ，Ｂはレーザ光投射許可信号であって、互いに異なる信号の赤外光である。赤外光の種類を異ならせるには、例えば汎用リモコンのようにコード化された信号の赤外光とし、そのコードを異ならせることにより可能である。なお、以下の説明では、右側発光部４０ａから発光する赤外光Ａを発光信号Ａ、左側発光部４０ｂから発光する赤外光Ｂを発光信号Ｂと称する。
【００１６】
レーザポインタ３０は薄い直方体状を呈しており、プッシュ式のレーザスイッチ３１が配置された表面を上にして手に載せた状態で握って用いられる。図２に示すように、この正規の使用状態におけるレーザポインタ３０の左側の側面には左側センサ（左側受信部）３０ａが設けられ、右側の側面には右側センサ（右側受信部）３０ｂが設けられている。また、レーザポインタ３０の前面には前面センサ（前面受信部）３０ｃが設けられている。これらセンサ３０ａ，３０ｂ，３０ｃは光学的な受光センサであり、例えば±３０゜程度の指向角αを有している。
【００１７】
左側センサ３０ａは、右側発光部４０ａから発光する発光信号Ａを正規のレーザ光投射許可信号として受信し、右側センサ３０ｂは、左側発光部４０ｂから発光する発光信号Ｂを正規のレーザ光投射許可信号として受信するようになされている。また、前面センサ３０ｃが発光信号Ａ，Ｂを受けた場合、左右のセンサ３０ａ，３０ｂが各々の正規信号を受信してもレーザ光が投射されないようになっている。左右のセンサ３０ａ，３０ｂは、レーザスイッチ３１よりも先端側で、レーザポインタ３０を正規の使用状態で持った場合において露出する部分に設けられている。また、前面センサ３０ｃも、使用状態では露出する前面に設けられている。
【００１８】
レーザポインタ３０は、図３のブロック図に示すように、上記レーザスイッチ３１および左右のセンサ３０ａ，３０ｂを備えており、さらに、レンズを含んだレーザ発光部３２および制御部３３を備えている。レーザ発光部３２はレーザポインタ３０の前面に配置され、レーザ発光部３２が発光することによりレーザ光が前方に投射される。
【００１９】
このレーザポインタ３０では、単にレーザスイッチ３１を押したＯＮの状態のみではレーザ発光部３２は発光しない。レーザ発光部３２が発光する条件は、レーザスイッチ３１がＯＮであることを前提にした次の２通りである。
▲１▼左側センサ３０ａが発光信号Ａを受信し、右側センサ３０ｂまたは前面センサ３０ｃのどちらも発光信号Ａを受信していない。
▲２▼右側センサ３０ｂが発光信号Ｂを受信し、左側センサ３０ａまたは前面センサ３０ｃのどちらも発光信号Ｂを受信していない。
【００２０】
制御部３３には、各センサ３０ａ，３０ｂ，３０ｃの受信信号が供給され、制御部３３は、これら受信信号に基づき、レーザスイッチ３１がＯＮで、かつ上記▲１▼または▲２▼の条件が満足した場合に限り、レーザ発光部３２を発光させる。
【００２１】
以上が本実施形態のプレゼンテーションシステムであり、次いで、同システムの動作（この動作は制御部３３によってなされる）を、図４のフローチャートを参照して説明する。なお、動作の説明は、プレゼンターが液晶プロジェクタ２０の右側に立った場合と左側に立った場合に分けて説明し、さらに、レーザ光の誤投射防止の動作の例を説明する。
【００２２】
（１）プレゼンターが液晶プロジェクタの右側に立った場合
右側発光部４０ａから発光信号Ａをプレゼンターの方向に向けて発光させる。プレゼンターはレーザポインタ３０を持ってスクリーン１０に向け、レーザスイッチ３１を押す。この状態では、レーザポインタ３０の左側の側面が右側発光部４０ａに向くので、その側面に設けられた左側センサ３０ａが右側発光部４０ａから発光する発光信号Ａを正規のレーザ光投射許可信号として受信する。また、右側センサ３０ｂおよび前面センサ３０ｃには何も受信されない。
【００２３】
さて、その動作であるが、図４に示すように、まずレーザスイッチ３１が押されたか否かを判断し（ステップＳ１）、レーザスイッチ３１が押されていると、左側センサ３０ａが発光信号Ａを受信しているか否かを判断する（ステップＳ２）。左側センサ３０ａが発光信号Ａを受信している場合には、続いて右側センサ３０ｂが発光信号Ａを受信していないか否かを判断し（ステップＳ３）、受信していない場合には、続いて前面センサ３０ｃが発光信号Ａを受信していないか否かを判断する（ステップＳ４）。前面センサ３０ｃが発光信号Ａを受信していない場合、レーザ発光部３２が発光する（ステップＳ５）。ステップＳ１でレーザスイッチ３１が押されていない場合は、レーザ発光部３２は消灯状態が維持される（ステップＳ６）。また、ステップＳ３またはステップＳ４で「Ｎｏ」と判断すると、レーザ発光部３２を消灯する（ステップＳ６）。
【００２４】
図１は、プレゼンターが右側に立ってレーザポインタ３０からレーザ光が正常に投射されている状態を示しており、この場合、図４のステップＳ１〜ステップＳ５の動作が維持されている。
【００２５】
（２）プレゼンターが液晶プロジェクタの左側に立った場合
左側発光部４０ｂから発光信号Ｂをプレゼンターの方向に向けて発光させる。この場合、レーザポインタ３０の右側の側面が左側発光部４０ｂに向くので、その側面に設けられた右側センサ３０ｂが左側発光部４０ｂから発光する発光信号Ｂを受信する。
【００２６】
この場合の動作は、図４のステップＳ１，ステップＳ２までは同様に進み、ステップＳ２で「Ｎｏ」と判断し、ステップＳ７に進む。ステップＳ７では、右側センサ３０ｂが発光信号Ｂを受信しているか否かを判断する。右側センサ３０ｂが発光信号Ｂを受信している場合には、続いて左側センサ３０ａが発光信号Ｂを受信していないか否かを判断し（ステップＳ８）、受信していない場合には、続いて前面センサ３０ｃが発光信号Ｂを受信していないか否かを判断する（ステップＳ９）。前面センサ３０ｃが発光信号Ｂを受信していない場合、レーザ発光部３２が発光する（ステップＳ５）。ステップＳ７〜ステップＳ９のいずれかで「Ｎｏ」と判断すると、レーザ発光部３２は消灯する（ステップＳ１０）。
【００２７】
（３）レーザ光の誤投射防止の例
図５に示すように、プレゼンターが右側に立っている状態においてレーザポインタ３０を後方の客席に向けると、左側センサ３０ａは右側発光部４０ａに向かないので、図４のステップＳ２で「Ｎｏ」と判断し、さらに右側センサ３０ｂは発光信号Ｂを受信しないので、ステップＳ７で「Ｎｏ」と判断し、レーザ光は投射されない。
【００２８】
ところで、図５に示すように、例えばプレゼンターの右側に壁Ｗがある場合においてレーザポインタ３０を後方の客席に向けると、発光信号Ａが壁Ｗに反射し、その発光信号Ａを左側センサ３０ａが受信する場合がある。つまり、左側センサ３０ａが正規のレーザ光投射許可信号として発光信号Ａを受信し、ステップＳ２が「Ｙｅｓ」となる。しかしながら、次のステップＳ３で、本来右側センサ３０ｂでは受信されないはずの発光信号Ａが受信されるため「Ｎｏ」と判断され、これによってレーザ光は投射されない。さらに、指向角特性を有する左右のセンサ３０ａ，３０ｂの間には受信不能なデッドゾーンが生じるが、そのデッドゾーンは前面センサ３０ｃによって補完され、この場合、ステップＳ３で「Ｙｅｓ」となってもステップＳ４で「Ｎｏ」と判断され、レーザ光は投射されない。
【００２９】
本実施形態によれば、レーザポインタ３０を後方に向けた状態で、発光信号Ａまたは発光信号Ｂが壁等に反射し、それら発光信号を、レーザポインタ３０の左右のセンサのいずれかが正規のレーザ光投射許可信号として受信しても、他のセンサが同じレーザ光投射許可信号を受信することにより、レーザ光の発光が規制される。したがって、客席へのレーザ光の誤投射を確実に防止することができる。また、スクリーン１０と液晶プロジェクタ２０との間に位置するプレゼンターに対してレーザ光投射許可信号としての発光信号Ａ，Ｂを発信するので、プレゼンターが液晶プロジェクタ２０より後方に位置するとレーザ光は投射されず、これによっても客席へのレーザ光の誤投射が防がれる。
【００３０】
本実施形態は、液晶プロジェクタ２０に左右の発光部４０ａ，４０ｂを設置する一方、レーザポインタ３０に、各発光信号Ａ，Ｂに対応する左右のセンサ３０ａ，３０ｂおよび前面センサ３０ｃを設けるとともに、これらセンサ３０ａ，３０ｂ，センサ３０ｃの受信状態に応じてレーザ光の投射を制御する制御部３３を設けるといった簡素かつ小規模な構成である。したがって、レーザ光の誤投射を確実に防止することを、安価な構成で実現できる。また、本システムのセッティングは、発光部４０ａ（４０ｂ）の向きを調整し、発光信号Ａ（Ｂ）の発信方向を、レーザポインタ３０を持つプレゼンターに向け、レーザポインタ３０から投射されるレーザ光がスクリーン１０に万遍なく投射されれば完了であり、きわめて容易であることから実用性に優れている。
【００３１】
なお、上記実施形態ではレーザポインタ３０に前面センサ３０ｃを設けているが、左右のセンサ３０ａ，３０ｂの指向角度が広くて発光信号Ａ，Ｂを受信不能なデッドゾーンが狭い場合には、特に設ける必要はない。言い換えれば、前面センサ３０ｃは必要に応じて設ければよい。また、逆にセンサの指向角度が狭い場合は複数の前面センサ３０ｃを設ければよい。
【００３２】
【発明の効果】
以上説明したように、本発明によれば、レーザポインタの１つの受信部が正規のレーザ光投射許可信号を受信し、かつ、他の受信部が同じ正規のレーザ光投射許可信号を受信していない場合に限り、レーザ光が投射する構成としたので、安価かつ簡素な構成でレーザ光の誤投射を確実に防ぐことができ、安全性の確立が図られるといった効果を奏する。
【図面の簡単な説明】
【図１】本発明の一実施形態に係るシステムの概念図である。
【図２】レーザポインタの平面図である。
【図３】レーザポインタの構成を表すブロック図である。
【図４】一実施形態のシステムの動作を示すフローチャートである。
【図５】誤投射防止の作用を説明するためのシステムの概念図である。
【符号の説明】
１０…スクリーン（スクリーン手段）
２０…液晶プロジェクタ（投影手段）
３０…レーザポインタ
３０ａ…左側センサ（左側受信部）
３０ｂ…右側センサ（右側受信部）
３０ｃ…前面センサ（前面受信部）
３３…制御部
４０ａ…右側発光部（右側発信部）
４０ｂ…左側発光部（左側発信部）
Ａ，Ｂ…発光信号（レーザ光投射許可信号）
【図１】
2004021151.tif 000003
【図２】
2004021151.tif 000004
【図３】
2004021151.tif 000005
【図４】
2004021151.tif 000006
【図５】
2004021151.tif 000007